(57)【特許請求の範囲】
【請求項１】
タンクユニットに熱源ユニットを連結してなる本体を備え、前記タンクユニットは、外部の加熱手段により加熱された湯を溜める貯湯タンクと、該貯湯タンクから延出する複数の配管類とを備え、前記熱源ユニットは、熱源部をケースに収容してなる熱源機と、該熱源機の下方に延出する複数の配管類を収容すると共に該熱源機の天面と前記タンクユニットの天面が同一平面上に位置するように該熱源機を下方から支持する支持台とを備え、前記熱源機のケースは、一側面を開放面とする箱形状の器体と、該器体の開放面の周縁から外方に張り出すフランジに外周端部が当接して該器体の開放面を閉塞する蓋体とを備え、前記熱源機が、その蓋体の反対側の側面を前記タンクユニット側に当接して設けられた貯湯式給湯装置において、
前記熱源機の蓋体側を前記本体の前側としたとき、該本体の左右側の少なくとも一側面を覆う化粧カバーを設け、
前記化粧カバーは、矩形状のパネルと、該パネルの前側端縁に沿って設けられた前側モールと、該パネルの後側端縁に沿って設けられた後側モールとを備え、
前記前側モールは、熱源機のフランジに対応する部分に該フランジ及び前記蓋体の外周端部を覆い隠すフランジ被覆部を備え、
前記パネルは、前記本体の天面に沿って内側に向って張り出す張出部を備え、
前記本体の天面又は上部側面に、前記張出部を介して化粧カバーを着脱自在に連結するカバー連結手段を備えることを特徴とする貯湯式給湯装置。
【請求項２】
前記前側モールは、前記熱源機の天面側のフランジに沿って延びる上部延出部を備えることを特徴とする請求項１記載の貯湯式給湯装置。
【請求項３】
前記化粧カバーは、前記本体の側面のうち上部側を覆う上部カバー部と、前記本体の側面のうち下部側を覆う下部カバー部とで構成され、
前記フランジ被覆部は、前記上部カバー部の前側モールに設けられ、
前記上部カバー部と前記下部カバー部とは、前記熱源ユニットの前記熱源機と前記支持台との境界に沿って水平方向に延びる境界線を介して互いに分割自在に連接していることを特徴とする請求項１又は２記載の貯湯式給湯装置。
【請求項４】
前記上部カバー部は、前記境界線よりも下方に延びて前記下部カバー部の裏面側で前記本体に着脱自在に連結される連結部を備えることを特徴とする請求項３記載の貯湯式給湯装置。
【発明の詳細な説明】
【技術分野】
【０００１】
本発明は、タンクユニットに熱源ユニットを連結することによって構成された貯湯式給湯装置に関する。
【背景技術】
【０００２】
従来、ヒートポンプ等の加熱手段を用いて生成された湯を貯湯タンクに貯めておき、貯湯タンクの湯切れが生じた場合に、ガス給湯器等の補助熱源を用いて加熱出湯するようにした貯湯式給湯装置が知られている（下記特許文献１参照）。
【０００３】
この貯湯式給湯装置は、タンクユニットと熱源ユニットとを備えている。タンクユニットは、貯湯タンクと、貯湯タンクから延出する複数の配管類とを備え、貯湯タンク及び配管類はタンク用筐体に収容されている。熱源ユニットは、所謂ガス給湯器である熱源機と、熱源機の下方に延出する複数の配管類とを備え、熱源機を支持台上に載置して連結すると共に支持台の内部に熱源機の下方に延出する複数の配管類を収容している。そして、熱源ユニットはタンクユニットに隣接して組み付けられ、一体的な複合ユニットとされている。
【先行技術文献】
【特許文献】
【０００４】
【特許文献１】特開２０１１−１５８１２８号公報
【発明の概要】
【発明が解決しようとする課題】
【０００５】
しかし、特許文献１のものでは、貯湯タンクと熱源機とはその形状が異なるだけでなく、タンクユニットと熱源ユニットとで、配管類やその他の装備品の位置も異なっている。このため、タンクユニットと熱源ユニットとを単に連結しただけでは、連結部分に沿った境界線が見苦しく露出するだけでなく、タンクユニットと熱源ユニットとで外観上の統一感もなく、外観品質が低い不都合がある。
【０００６】
更に、熱源機としてガス給湯器が用いられる場合、例えば、図５に示すように、熱源部を収納した器体１５を蓋体１６で閉塞してなるケース１４を備えている。しかし、器体１５には、蓋体１６の外周端部を当接するためのフランジ１７が外方に張り出して設けられている。このため、熱源ユニットをタンクユニットに連結した場合にも、熱源機１１のケース１４のフランジ１７が目立ってしまい、外観を著しく低下させる不都合がある。
【０００７】
上記の点に鑑み、本発明は、外観品質の高い貯湯式給湯装置を提供することを目的とする。
【課題を解決するための手段】
【０００８】
かかる目的を達成するために、本発明は、タンクユニットに熱源ユニットを連結してなる本体を備え、前記タンクユニットは、外部の加熱手段により加熱された湯を溜める貯湯タンクと、該貯湯タンクから延出する複数の配管類とを備え、前記熱源ユニットは、熱源部をケースに収容してなる熱源機と、該熱源機の下方に延出する複数の配管類を収容すると共に該熱源機の天面と前記タンクユニットの天面が同一平面上に位置するように該熱源機を下方から支持する支持台とを備え、前記熱源機のケースは、一側面を開放面とする箱形状の器体と、該器体の開放面の周縁から外方に張り出すフランジに外周端部が当接して該器体の開放面を閉塞する蓋体とを備え、前記熱源機は、その蓋体の反対側の側面が前記タンクユニットに当接された貯湯式給湯装置において、前記熱源機の蓋体側を、前記本体の前側としたとき、該本体の左右側の少なくとも一側面を覆う化粧カバーを設け、前記化粧カバーは、矩形状のパネルと、該パネルの前側端縁に沿って設けられた前側モールと、該パネルの後側端縁に沿って設けられた後側モールとを備え、前記前側モールは、熱源機のフランジに対応する部分に該フランジ及び前記蓋体の外周端部を覆い隠すフランジ被覆部を備え、前記パネルは、前記本体の天面に沿って内側に向って張り出す張出部を備え、前記本体の天面又は上部側面に、前記張出部を介して化粧カバーを着脱自在に連結するカバー連結手段を備えることを特徴とする。
【０００９】
本発明によれば、前記化粧カバーのパネルが、タンクユニットと熱源ユニットとの連結部分による境界線を覆い隠すので、すっきりとした美観が得られ、貯湯式給湯装置の外観を向上させることができる。更に、前記化粧カバーの前側モールが前記フランジ被覆部を備えているので、フランジ被覆部が熱源機のケースに形成されているフランジを覆い隠すことができ、熱源機のフランジが目立たなくなるため外観を向上させることができる。
【００１０】
ここで、化粧カバーを取り付けるときには、本体の上方から天面に向ってパネルの前記張出部を下降させ、カバー連結手段によって張出部を連結させる。これにより、張出部が本体の天面又は上部側面に掛止されるようにして化粧カバーが取り付けられる。このとき、カバー連結手段は本体の天面又は上部側面に設けられて見え難く、しかもパネルの張出部によって覆い隠されるので、外観を低下させることなく化粧カバーを取り付け状態とすることができる。
【００１１】
また、本発明において、前記前側モールは、前記熱源機の天面側のフランジに沿って延びる上部延出部を備えることがこのましい。これによれば、熱源機のフランジを天面側から角部を経て覆い隠すことにより、貯湯式給湯装置の外観が向上する。更に、前記パネルの張出部を、前記カバー連結手段に連結させるときには、前側モールの上部延出部を熱源機のフランジの天面側及び角部に係合させて位置決めすることができる。これにより、前記カバー連結手段が本体の天面又は上部側面に設けられて見え難くても、化粧カバーの取り付け作業を円滑に行うことができる。
【００１２】
また、本発明において、前記化粧カバーは、前記本体の側面のうち上部側を覆う上部カバー部と、前記本体の側面のうち下部側を覆う下部カバー部とで構成され、前記フランジ被覆部は、前記上部カバー部の前側モールに設けられ、前記上部カバー部と前記下部カバー部とは、前記熱源ユニットの前記熱源機と前記支持台との境界に沿って水平方向に延びる境界線を介して互いに分割自在に連接していることを特徴とする。
【００１３】
前記化粧カバーを前記上部カバー部と前記下部カバー部とで構成して互いに分割自在とすることにより、メンテナンス作業等において上部カバー部と下部カバー部とをメンテナンス対象部位に応じて選択的に取り外すことができる。
【００１４】
しかも、上部カバー部と下部カバー部との分割位置の境界線は水平方向に延びる線であるため化粧カバーの外観は殆ど低下しない。
【００１５】
また、熱源機の配管類が熱源ユニットの支持台に収容され、これらの配管類に対応してタンクユニットの配管類も本体の下半部に集中している。このとき、前記境界線を前記熱源ユニットの前記熱源機と前記支持台との境界に沿って形成したことにより、下部カバー部を取り外すだけで、配管類の接続作業やメンテナンス作業が行うことができ、作業性が高い。
【００１６】
更に、前記上部カバー部は、前記境界線よりも下方に延びて前記下部カバー部の裏面側で前記本体に着脱自在に連結される連結部を備えることが好ましい。これによれば、上部カバー部の連結部が下部カバー部に隠されて露出せず、連結部による外観の低下を防止することができる。
【図面の簡単な説明】
【００１７】
【図１】本発明の一実施形態を示す貯湯式給湯装置の平面図。
【図２】本実施形態の貯湯式給湯装置の本体を示す側面図。
【図３】本実施形態の貯湯式給湯装置の側面図。
【図４】化粧カバーの取り外し状態の斜視図。
【図５】本実施形態で用いる熱源機の斜視図。
【図６】本実施形態の貯湯式給湯装置の正面図。
【図７】本実施形態の貯湯式給湯装置の背面図。
【図８】上部カバー部の上端部の断面説明図。
【図９】前側モールの断面説明図。
【図１０】後側モールの断面説明図。
【図１１】上部カバー部の下端部の断面説明図。
【図１２】下部カバー部の上端部の断面説明図。
【図１３】下部カバー部の下端部の断面説明図。
【図１４】本実施形態の貯湯式給湯装置の下端部の説明的斜視図。
【図１５】床面固定部材を示す斜視図。
【発明を実施するための形態】
【００１８】
本発明の一実施形態を図面に基づいて説明する。本実施形態の貯湯式給湯装置は、図１に平面視して示すように、タンクユニット１と熱源ユニット２とが前後方向に連結され、その左右両側が化粧カバー３により覆われている。なお、貯湯式給湯装置は、外部に図示しないヒートポンプ等の加熱手段が接続される。タンクユニット１は、この加熱手段により加熱生成された湯を溜めるために設けられるものであり、熱源ユニット２は、給湯時にタンクユニット１の湯切れが生じた場合に、給湯設定温度まで加熱して出湯するために設けられるものである。
【００１９】
図２は、化粧カバー３を取り外した状態を示しており、タンクユニット１と熱源ユニット２とは一体に連結されて貯湯式給湯装置の本体４を形成している。図３は、図２に示す本体４に化粧カバー３を装着した状態を示している。化粧カバー３は、図４示すように、本体４から容易に取り外すことができるようになっている。
【００２０】
図２及び図４に示すように、タンクユニット１は、角柱状のタンク用筐体５に、貯湯タンク６（図２参照）、及び図示しない配管類や電装品等を収容することにより構成されている。図２に示すように、タンク用筐体５は、上部覆板７と下部覆板８とによって側面が閉塞されている。上部覆板７と下部覆板８とは、図４に示すように、タンクユニット１から取り外すことができるようになっている。
【００２１】
上部覆板７により閉塞される上部空間には、図示しない電装品等が収容される。下部覆板８により閉塞される下部空間には、図示しない配管類が収容される。そして、上部空間及び下部空間の奥側には円柱状の貯湯タンク６（図２参照）が収容されている。
【００２２】
また、タンク用筐体５の底部には平面視矩形状の第１接地枠９が設けられている。第１接地枠９は、タンク用筐体５の支柱の下端に連結され、タンクユニット１の荷重を支えている。第１接地枠９の外周には複数の床面固定部材１０が設けられている。
【００２３】
熱源ユニット２は、図２に示すように、熱源機１１と、熱源機１１の底部を支持する支持台１２とで構成され、支持台１２の内部には図示しない配管類が収容されている。支持台１２の底部には平面視矩形状の第２接地枠１３が設けられている。第２接地枠１３は、支持台１２の支柱の下端に連結され、熱源機１１及び支持台１２の荷重を支えている。第２接地枠１３の外周には第１接地枠９に用いられているものと同種の複数の床面固定部材１０が設けられている。
【００２４】
熱源機１１は、図５に示すように、単体で使用することができる所謂ガス給湯器であり、ケース１４の内部に図示しないガスバーナや熱交換器等が収容されている。ケース１４は、一側面を開放面とする箱形状の器体１５と、器体１５の開放面を閉塞する蓋体１６とを備えている。器体１５の開放面の周縁には外方に張り出すフランジ１７が形成されている。蓋体１６は、その外周端部を器体１５のフランジ１７に当接させて器体１５に連結されている。蓋体１６からは、排気筒１８が突出している。
【００２５】
なお、貯湯式給湯装置においてはメンテナンス作業等の作業性を考慮する必要がある。そこで、図４に示すように、貯湯式給湯装置の本体４は、一方側からの上部覆板７や下部覆板８の開閉のみで主要なメンテナンス部位が露出するようになっている。この場合、主要なメンテナンス部位が露出する側（上部覆板７と下部覆板８とがある側）をその作業者からみて前側とするのが一般的であるが、説明の便宜上、熱源機１１の蓋体１６が露出する側を前側とし、その反対側（タンクユニット１側）を後側とし、メンテナンス部位を露出させるための上部覆板７と下部覆板８とがある側をメンテナンス側といい、メンテナンス側の反対側を非メンテナンス側という。
【００２６】
次に、化粧カバー３について説明する。化粧カバー３は、図３に示すように、上部カバー部１９と下部カバー部２０との上下２つで構成されている。上部カバー部１９は、本体４の側面のうち上部側を覆う第１パネル２１と、第１パネル２１の前側端縁に取り付けられた第１前側モール２２と、第１パネル２１の後側端縁に取り付けられた第１後側モール２３とを備えている。下部カバー部２０は、本体４の側面のうち下部側を覆う第２パネル２４と、第２パネル２４の前側端縁に取り付けられた第２前側モール２５と、第２パネル２４の後側端縁に取り付けられた第２後側モール２６とを備えている。上部カバー部１９と下部カバー部２０との境界線２７は、図３に示すように水平の直線状であり、この境界線２７は図２に示した熱源機１１と支持台１２との境界に合致したものとなっている。
【００２７】
第１パネル２１と第２パネル２４とは、図３に示すように、上下に連続した統一感のあるデザインに形成され、高い美観を有している。また、第１前側モール２２と第２前側モール２５とは、図３及び図６に示すように、境界線２７の前端を介して上下に連続した統一感のあるデザインに形成されている。更に、第１後側モール２３と第２後側モール２６とにおいても、図３及び図７に示すように、境界線２７の後端を介して上下に連続した統一感のあるデザインに形成されている。
【００２８】
また、化粧カバー３は、図１に示すように、本体４のメンテナンス側と非メンテナンス側との両方に設けられている。化粧カバー３は、貯湯式給湯装置の設置場所において、壁面等に覆われることのない本体４のメンテナンス側にのみ設けておけばよい。しかし、貯湯式給湯装置の設置場所においては、本体４の非メンテナンス側も露出する場合がある。よって、本実施形態においては、本体４のメンテナンス側と非メンテナンス側との両方に設けた例を示している。この場合、図６及び図７に示すように、本体４のメンテナンス側の化粧カバー３の上部カバー部１９と、本体４の非メンテナンス側の化粧カバー３の上部カバー部１９とは、左右対称（鏡映対称）の形状とされている。以上の関係により、以下、本体４のメンテナンス側に設けた化粧カバー３について説明し、本体４の非メンテナンス側に設けた化粧カバー３については図中同一符号を附してその説明を省略する。
【００２９】
上部カバー部１９は、図１及び図４に示すように、本体４の天面に沿って内側に向って張り出す張出部２８を一体に備えている。張出部２８は第１パネル２１の上端部を曲面を存して折り曲げることにより形成されており、本体４の天面の一部を覆っている。
【００３０】
図４に示すように、本体４の天面には、張出部２８に対応する位置に座板２９を介して複数の止め具３０（カバー連結手段）が固定されている。止め具３０は、図８（ａ）に示すように、張出部２８の裏面に設けられているバネ突起３１を受ける凹状の部材である。即ち、バネ突起３１と止め具３０とにより、本体４の天面に、張出部２８を介して上部カバー部１９が着脱自在に連結される。
【００３１】
なお、これ以外に、図８（ｂ）に示すように、本体４の上部側面に、座板２９´を介して複数の止め具３０´（カバー連結手段）を固定しておき、張出部２８の裏面に設けたバネ突起３１´を止め具３０´に勘合して上部カバー部１９を着脱自在に連結してもよい。
【００３２】
第１前側モール２２は、図６及び図９に示すように、熱源機１１のフランジ１７（及び蓋体１６の外周端部）を覆い隠すフランジ被覆部３２を備えている。また、第１前側モール２２は、第１パネル２１の張出部２８の前端縁に沿う第１上部延出部３３を備えている。フランジ被覆部３２は第１上部延出部３３にも設けられており、熱源機１１の天面側のフランジ１７に沿って延びている。これにより、図６に示すように、従来より外観を低下させる一因とされていた熱源機１１のフランジ１７の目立つ部分を第１前側モール２２が覆い隠し、外観を向上させることができる。
【００３３】
更に、上部カバー部１９を本体４に取り付けるときには、第１上部延出部３３のフランジ被覆部３２を熱源機１１の天面から上角部にかけてのフランジ１７に勘合させることで、上部カバー部１９を本体４に対して確実に位置決めすることができる。これによれば、本体４の高さが作業者の背丈よりも高くて天面の確認が困難な場合であっても、上部カバー部１９を本体４に取り付ける作業が極めて容易となる。
【００３４】
第１後側モール２３は、図７及び図１０に示すように、本体４の後部の角部（タンクユニット１の後面の角部）を覆う形状に形成されている。また、第１パネル２１の張出部２８の後端縁に沿う第２上部延出部３４を備えている。
【００３５】
上部カバー部１９の上部側は、図８（ａ）に示すように、バネ突起３１と止め具３０とにより本体４の天面、或いは、図８（ｂ）に示すように、バネ突起３１´と止め具３０´とにより本体４の上部側面に連結されるが、上部カバー部１９の下部側は、図１１に示すように、本体４及び下部カバー部２０に連結される。即ち、上部カバー部１９の第１パネル２１の下縁には連結部３５が設けられている。連結部３５は、上部カバー部１９と下部カバー部２０との境界線２７よりも下方に延びており、下部カバー部２０の第２パネル２４の裏面側に位置する。連結部３５は、手螺子３６により本体４に固定される。連結部３５と手螺子３６とは、下部カバー部２０の第２パネル２４の裏面側に隠されることにより、図３に示すように、境界線２７のすっきりとした外観を阻害することはない。
【００３６】
下部カバー部２０の上部側は、図１２（ａ）に示すように、上部カバー部１９の下端部に連結されている。上部カバー部１９と下部カバー部２０との連結は、上部カバー部１９に設けたバネ突起３７と、下部カバー部２０に設けた止め具３８との勘合により行われる。即ち、バネ突起３７は、前記連結部３５に干渉しない位置における上部カバー部１９の第１パネル２１の下端部に螺子止めされて下部カバー部２０の第２パネル２４の裏面側に延設され、止め具３８に向って突出する。止め具３８は、下部カバー部２０の第２パネル２４の裏面に固定されている。
【００３７】
一方、下部カバー部２０の下部側は、図１３に示すように、本体４及び下部カバー部２０に連結される。即ち、下部カバー部２０の第２パネル２４の下縁には、下方に延びる連結部３９が設けられている。連結部３９は、手螺子４０により本体４の下部（第１接地枠９及び第２接地枠１３）に固定される（図１４参照）。
【００３８】
なお、図１２（ａ）に示す構成に替えて、図１２（ｂ）に示す構成により上部カバー部１９と下部カバー部２０とを連結してもよい。即ち、図１２（ｂ）に示すように、下部カバー部２０の上端縁に、上方に向って突出するバネ突起３７´を設け、上部カバー部１９の下端にバネ突起３７´を勘合させる止め具３８´を設けてもよい。
【００３９】
また、図１に示すように、本体４の下部には、複数の床面固定部材１０が設けられている。各床面固定部材１０は、図３に示すように、第１接地枠９及び第２接地枠１３の外周縦面の周方向適宜位置に螺子止めにより着脱自在に設けられている。また、図１４に示すように、床面固定部材１０として、その形状は取り付け位置に応じて３種のものが用意されている。即ち、第１床面固定部材１０Ａは、図１５（ａ）に示すように、床面に沿う形状の床面固定板４１と、床面固定板４１の一端縁から垂直に起立する本体連結板４２とを備えている。
【００４０】
本体連結板４２には螺子部材を貫通させる複数の螺子貫通孔４３が形成されている。床面固定板４１には、マンションのバルコニー等の設置床面に設けられた図示しないアンカーボルトを貫通させる凹状のボルト受け部４４が形成されている。床面固定板４１の両側には一対の補強曲げ部４５が形成されており、これにより床面固定板４１の曲げ強度を向上させている。
【００４１】
更に、本体連結板４２の一側端縁には、第１延設片４６が一体に連設されている。第１床面固定部材１０Ａの第１延設片４６は、図１４に示すように、本体４の第２接地枠１３（及び第１接地枠９）の一方角部に形成されている第１位置決め穴４７に装着して位置決めされる。なお、第１接地枠９と第２接地枠１３との夫々の対角線上に第１位置決め穴４７が設けられている。
【００４２】
第２床面固定部材１０Ｂは、図１５（ｂ）に示すように、第１床面固定部材１０Ａの第１延設片４６と異なる向きの第２延設片４８を備え、それ以外は第１床面固定部材１０Ａと同様である。第２床面固定部材１０Ｂの第２延設片４８は、図１４に示すように、本体４の第１接地枠９（及び第２接地枠１３）の他方角部に形成されている第２位置決め穴４９に装着して位置決めされる。第２位置決め穴４９は、第１接地枠９と第２接地枠１３との夫々の第１位置決め穴４７と異なる対角線上にが設けられている。
【００４３】
第３床面固定部材１０Ｃは、図１５（ｃ）に示すように、第１延設片４６も第２延設片４８も備えず、それ以外は、第１床面固定部材１０Ａ及び第２床面固定部材１０Ｂと同様の構成を有している。第１床面固定部材１０Ａ及び第２床面固定部材１０Ｂは第１接地枠９及び第２接地枠１３の角部に対応するのに対し、第３床面固定部材１０Ｃは、第１接地枠９及び第２接地枠１３の何れの位置であっても取り付けることができる。
【００４４】
これらの床面固定部材１０を設けることによって、貯湯式給湯装置の設置場所に応じて床面固定部材１０の位置を選択することができる。
【００４５】
なお、本実施形態の本体４においては、図１を参照して、タンクユニット１の図１における左側に熱源ユニット２が連結されたレイアウトを採用している。そして、本実施形態では、図１における下側をメンテナンス側とし、図４に示す向きでタンクユニット１が設けられている。しかし、貯湯式給湯装置の設置場所の状況により、図１における上側をメンテナンス側とする場合もある。この場合にも、図１及び図６に示すように、それぞれの側に対応する化粧カバー３を設けることで、本体４におけるタンクユニット１と熱源ユニット２とのレイアウトが異なった場合に容易に対応させることができる。
【００４６】
また、前述した通り、化粧カバー３は、貯湯式給湯装置の設置場所において、壁面等に覆われることのない本体４のメンテナンス側にのみ設ける場合がある。この場合に、本体４のメンテナンス側と非メンテナンス側との位置が本実施形態のものと異なっても、前記化粧カバー３は本体４への取り付け方向に容易に対応させることができる。
【００４７】
即ち、本体４のメンテナンス側の化粧カバー３の上部カバー部１９と、本体４の非メンテナンス側の化粧カバー３の上部カバー部１９とは、左右対称（鏡映対称）の形状とされているが、上部カバー部１９の第１パネル２１は何れの側のものも同一形状であり、第１前側モール２２と第１後側モール２３とが本体４への取り付け方向に応じたものとなっている。これにより、共通の第１パネル２１を用いて、この第１パネル２１に第１前側モール２２及び第１後側モール２３を本体４への取り付け方向に応じて付け替えるだけでよい。よって、第１パネル２１は１種類のものを用意しておけばよく、第１前側モール２２と第１後側モール２３とは夫々の取り付け方向に応じて２種類ずつ用意しておけばよい。また、下部カバー部２０の第２パネル２４も、何れの側のものも同一形状である。第２パネル２４に取りけられる第２前側モール２５と第２後側モール２６とは、その形状が異なっているが、何れも直線状に形成されたものであるため、夫々の上下を反転させるだけで、本体４への取り付け方向の何れにも対応させることができる。よって、第２パネル２４、第２前側モール２５、及び第２後側モール２６は、何れも１種類ずつ用意しておけばよい。
【００４８】
また、本実施形態においては、熱源機１１の天面に器体１５のフランジ１７が張り出すものを示している。しかし、図示しないが、熱源機の天面側にフランジ１７が形成されていず、熱源ユニットの天面が平坦に形成されている場合も考えられる。この場合には、第１前側モール２２に第１上部延出部３３を設けなくてもよい。これによれば、前側上縁をすっきりさせて外観を向上させることができる。
【符号の説明】
【００４９】
１…タンクユニット、２…熱源ユニット、３…化粧カバー、４…本体、６…貯湯タンク、１１…熱源機、１２…支持台、１４…ケース、１５…器体、１６…蓋体、１７…フランジ、１９…上部カバー部、２０…下部カバー部、２１…パネル（第１パネル）、２２…前側モール（第１前側モール）、２３…後側モール（第１後側モール）、２７…境界線、２８…張出部、３０，３０´…止め具（カバー連結手段）、３２…フランジ被覆部、３３…上部延出部（第１上部延出部）、３５…連結部。
【図１】
0005844646.tif 000002
【図２】
0005844646.tif 000003
【図３】
0005844646.tif 000004
【図４】
0005844646.tif 000005
【図５】
0005844646.tif 000006
【図６】
0005844646.tif 000007
【図７】
0005844646.tif 000008
【図８】
0005844646.tif 000009
【図９】
0005844646.tif 000010
【図１０】
0005844646.tif 000011
【図１１】
0005844646.tif 000012
【図１２】
0005844646.tif 000013
【図１３】
0005844646.tif 000014
【図１４】
0005844646.tif 000015
【図１５】
0005844646.tif 000016